(57)【要約】【課題】粘着テープを巻き付けてノイズフィルタを導電路に固定する際の作業性向上を図る。【解決手段】ノイズフィルタ１０は、導電路２８を挿通させる挿通孔１３を有するフェライトコア１１と、フェライトコア１１を収容するフィルタケース１４と、フィルタケース１４に形成され、導電路２８の外周に当接することで、フィルタケース１４が導電路２８に対して軸線方向へ相対変位することを規制する仮保持部２４とを備える。仮保持部２４が導電路２８の外周に当接することにより、ノイズフィルタ１０の導電路２８に対する軸線方向への相対変位が規制されるので、粘着テープ２９を巻き付けてノイズフィルタ１０を導電路２８に固定する際には、ノイズフィルタ１０を支えておく必要がない。【選択図】図１
2016082057.tif 000002
【特許請求の範囲】
【請求項１】
導電路を挿通させる挿通孔を有するフェライトコアと、
前記フェライトコアを収容するフィルタケースと、
前記フィルタケースに形成され、前記導電路の外周に当接することで、前記フィルタケースが前記導電路に対して軸線方向へ相対変位することを規制する仮保持部とを備えていることを特徴とするノイズフィルタ。
【請求項２】
前記仮保持部が、前記導電路の外周に対して弾性的に当接可能であることを特徴とする請求項１記載のノイズフィルタ。
【請求項３】
前記フィルタケースの軸線方向に間隔を空けた２位置には、一対の前記仮保持部が揺動可能に支持されており、
前記導電路に対する前記一対の仮保持部の当接方向が、前記導電路の軸線に対して斜め方向であり、且つ前記導電路の軸線方向に関して互いに逆向きとなっていることを特徴とする請求項２記載のノイズフィルタ。
【請求項４】
前記一対の仮保持部には、前記導電路の外周に当接した状態において前記導電路の外周から径方向外向きに張り出した形態の摘み部が形成されていることを特徴とする請求項３記載のノイズフィルタ。
【請求項５】
ワイヤーハーネスをコルゲートチューブで包囲した形態の前記導電路に適用されるものであって、
前記仮保持部が、前記コルゲートチューブの外周の溝部に嵌入されるようになっていることを特徴とする請求項１記載のノイズフィルタ。
【発明の詳細な説明】
【技術分野】
【０００１】
本発明は、ノイズフィルタに関するものである。
【背景技術】
【０００２】
特許文献１には、導電路を挿通させるため挿通孔を有するフェライトコアと、フェライトコアを収容するフィルタケースとを備えたノイズフィルタが開示されている。挿通孔に挿通された導電路のノイズは、ノイズフィルタによって除去される。このノイズフィルタは、フィルタケースから導電路に亘って粘着テープを巻き付けることにより、導電路に固定される。
【先行技術文献】
【特許文献】
【０００３】
【特許文献１】特開２０１４−１１０３４３号公報
【発明の概要】
【発明が解決しようとする課題】
【０００４】
上記のノイズフィルタは、挿通孔に導電路を挿通させてから粘着テープの巻き付けを行うまでの間に、導電路の軸線方向に位置ずれしてしまう虞がある。特に、導電路が上下方向や水平に対して斜め方向に配索されている場合には、ノイズフィルタが滑り落ちてしまう。そのため、粘着テープを巻き付ける際には、ノイズフィルタを手で支えておかなければならず、作業性が悪い。
本発明は上記のような事情に基づいて完成されたものであって、粘着テープを巻き付けてノイズフィルタを導電路に固定する際の作業性向上を図ることを目的とする。
【課題を解決するための手段】
【０００５】
本発明は、
導電路を挿通させる挿通孔を有するフェライトコアと、
前記フェライトコアを収容するフィルタケースと、
前記フィルタケースに形成され、前記導電路の外周に当接することで、前記フィルタケースが前記導電路に対して軸線方向へ相対変位することを規制する仮保持部とを備えているところに特徴を有する。
【発明の効果】
【０００６】
仮保持部が導電路の外周に当接することにより、ノイズフィルタの導電路に対する軸線方向への相対変位が規制される。したがって、粘着テープを巻き付けてノイズフィルタを導電路に固定する際には、ノイズフィルタを位置ずれしないように支えておく必要がなく、作業性に優れている。
【図面の簡単な説明】
【０００７】
【図１】実施例１のノイズフィルタを導電路に取り付けた状態をあらわす一部切欠正面図
【図２】図１のＸ−Ｘ線断面図
【図３】実施例２のノイズフィルタを導電路に取り付けた状態をあらわす正面図
【図４】図３のＹ−Ｙ線断面図
【図５】図３のＺ−Ｚ線断面図
【発明を実施するための形態】
【０００８】
（１）本発明は、前記仮保持部が、前記導電路の外周に対して弾性的に当接可能であってもよい。この構成によれば、仮保持部の弾性復元力に起因する摩擦抵抗により、導電路に対するフィルタケースの相対変位が規制される。
【０００９】
（２）本発明は、（１）において、前記フィルタケースの軸線方向に間隔を空けた２位置には、一対の前記仮保持部が揺動可能に支持されており、前記導電路に対する前記一対の仮保持部の当接方向が、前記導電路の軸線に対して斜め方向であり、且つ前記導電路の軸線方向に関して互いに逆向きとなっていてもよい。この構成によれば、導電路の軸線の正逆両方向において、ノイズフィルタの相対変位を規制することができる。
【００１０】
（３）本発明は、（２）において、前記一対の仮保持部には、前記導電路の外周に当接した状態において前記導電路の外周から径方向外向きに張り出した形態の摘み部が形成されていてもよい。この構成によれば、２つの摘み部を摘んで軸線方向に接近させれば、導電路に対する仮保持部の当接が解除されるので、ノイズフィルタの軸線方向における位置を簡単に変更することができる。
【００１１】
（４）本発明は、ワイヤーハーネスをコルゲートチューブで包囲した形態の前記導電路に適用されるものであって、前記仮保持部が、前記コルゲートチューブの外周の溝部に嵌入されるようになっていてもよい。この構成によれば、仮保持部と溝部との係止により、軸線方向におけるノイズフィルタの相対変位を確実に規制できる。
【００１２】
＜実施例１＞
以下、本発明を具体化した実施例１を図１〜図２を参照して説明する。本実施例１のノイズフィルタ１０は、１本の円形断面の電線、又は複数本の電線（図示省略）を束ねた円形断面のワイヤーハーネスからなる導電路２８に適用される。ノイズフィルタ１０を、導電路２８に対し同軸状に包囲するように取り付けると、導電路２８のノイズがフェライトコア１１によって除去される。尚、以下の説明では、導電路２８のうちノイズフィルタ１０が取り付けられる領域の中心軸を「軸線」と定義する。
【００１３】
ノイズフィルタ１０は、円環形をなすフェライトコア１１と、フェライトコア１１を収容するフィルタケース１４とを備えている。フェライトコア１１は、半円筒形をなす一対のコア構成体１２を合体して構成される。フェライトコア１１の中心には、導電路２８を挿通するための円形の挿通孔１３が形成されている。挿通孔１３（フェライトコア１１）の内径は、導電路２８の外径より少し大きい寸法に設定されている。
【００１４】
フィルタケース１４は、合成樹脂製の第１ケース構成体１５と合成樹脂製の第２ケース構成体１６との２部品から構成され、両ケース構成体１５，１６を合体させることにより、全体として導電路２８の軸線と同心状の円筒形をなしている。また、フィルタケース１４の軸線方向における両端部には、円環形をなす外壁部１７が形成されている。外壁部１７の中心孔１８の内径は、導電路２８の外径寸法より少し大きい寸法に設定されている。
【００１５】
第１ケース構成体１５は、半円筒形をなす第１周壁部１９と、半円弧形をなす一対の第１端壁部２０とを備えている。一対の第１端壁部２０は、第１周壁部１９の軸線方向両端縁から径方向内向きに突出し、外壁部１７を構成する。第２ケース構成体１６は、半円筒形をなす第２周壁部２１と、半円弧形をなす一対の第２端壁部２２とを備えている。一対の第２端壁部２２は、第２周壁部２１の軸線方向両端縁から径方向内向きに突出し、外壁部１７を構成する。両ケース構成体１５，１６を合体すると、第１周壁部１９と第２周壁部２１の周方向における両端縁同士が当接するとともに、第１端壁部２０と第２端壁部２２の周方向における両端縁同士が当接する。これにより、フィルタケース１４の内部には、フェライトコア１１を収容するための収容空間２３が構成される。
【００１６】
本実施例１のノイズフィルタ１０は、フィルタケース１４から導電路２８に亘って粘着テープ２９を巻き付けることにより、導電路２８に固定される。しかし、フェライトコア１１（挿通孔１３）の内径は、導電路２８の外径よりも少し大きく設定されているので、ノイズフィルタ１０を導電路２８に取り付けて挿通孔１３に導電路２８が挿通されてから、粘着テープ２９の巻き付けを行うまでの間に、ノイズフィルタ１０が導電路２８の軸線方向に位置ずれしてしまう虞がある。特に、導電路２８が上下方向や水平に対して斜め方向に配索されている場合には、ノイズフィルタ１０が滑り落ちてしまう。ノイズフィルタ１０の位置ずれや滑落を防止するためには、粘着テープ２９を巻き付ける際に、ノイズフィルタ１０を手で支えておけばよいが、そうすると、作業性が悪くなる。
【００１７】
そこで、ノイズフィルタ１０が導電路２８に対して軸線方向に相対変位するのを規制する仮保持手段としては、フィルタケース１４に一対の仮保持部２４を形成している。第１ケース構成体１５の両第１端壁部２０の外面には、夫々、一対ずつのヒンジ部２６が形成されている。両ケース構成体１５，１６の合体方向（上下方向）におけるヒンジ部２６の形成位置は、第１端壁部２０のうち合体時に第２端壁部２２と対向する合せ面２７（導電路２８の軸線）に近い位置である。また、合体方向及び軸線方向と交差する方向における両ヒンジ部２６の形成位置は、導電路２８を両側から挟む位置である。
【００１８】
１つの仮保持部２４は、対をなすヒンジ部２６を介して第１端壁部２０に支持されている。仮保持部２４は、導電路２８の軸線と平行に見たときに弧状をなしており、仮保持部２４の両端が一対のヒンジ部２６に連なっている。つまり、導電路２８のうち略半周領域に沿うような形態となっている。仮保持部２４は、一対のヒンジ部２６を支点として弾性的に揺動し得るようになっている。このときの揺動軸の向きは、対をなすヒンジ部２６が並ぶ方向、つまり、導電路２８の軸線と概ね直交する方向である。また、仮保持部２４のうちヒンジ部２６から最も遠い領域は、摘み部２５として機能する。
【００１９】
次に、本実施例１のノイズフィルタ１０の組付けと、ノイズフィルタ１０の導電路２８への取り付けの手順を説明する。まず、第１ケース構成体１５内と第２ケース構成体１６内に、夫々、コア構成体１２を収容する。次に、第１ケース構成体１５のコア構成体１２に導電路２８を載せ、その上から第２ケース構成体１６を被せるように合体させる。合体状態では、両ケース構成体１５，１６が周知形態のロック手段（図示省略）により合体状態にロックされてフィルタケース１４が構成されるとともに、両コア構成体１２が合体してフェライトコア１１が構成される。同時に、フェライトコア１１の挿通孔１３に導電路２８が挿通された状態となる。以上により、ノイズフィルタ１０の組付け作業と、ノイズフィルタ１０に導電路２８を挿通させる作業が完了する。
【００２０】
ノイズフィルタ１０に導電路２８を挿通させた状態では、一対の仮保持部２４が、夫々、ヒンジ部２６を支点として弾性的に揺動し、導電路２８に対して下から弾性的に当接する。図１に示すように、仮保持部２４の揺動中心軸と同じ向きに見たときに、導電路２８に対する仮保持部２４の当接方向は、導電路２８の軸線に対して斜めの方向となっている。また、軸線方向に関して、両仮保持部２４が導電路２８に当接する向きは、第１端壁部２０（フィルタケース１４）の外面から遠ざかる方向である。つまり、軸線方向において一対の仮保持部２４が導電路２８に当接する向きは、互いに逆の向きとなっている。
【００２１】
以上のように一対の仮保持部２４が導電路２８の外周に弾性的に当接した状態で、ノイズフィルタ１０が導電路２８に対して軸線方向に相対変位しようとすると、仮保持部２４と導電路２８との間に生じる摩擦力と、導電路２８の外周に対する仮保持部２４の食い込む作用とにより、ノイズフィルタ１０は、導電路２８に対し軸線方向の相対変位を規制された状態に仮保持される。即ち、図１において、ノイズフィルタ１０が右方へ変位しようとしたときには、右側に位置する仮保持部２４が導電路２８の外周に食い込むことにより、ノイズフィルタ１０の変位が規制される。また、ノイズフィルタ１０が左方へ変位しようとしたときには、左側に位置する仮保持部２４が導電路２８の外周に食い込むことにより、ノイズフィルタ１０の変位が規制される。
【００２２】
また、ノイズフィルタ１０を導電路２８に仮保持した状態から、ノイズフィルタ１０の位置を意図的に軸線方向へずらす場合には、一対の仮保持部２４の摘み部２５を摘み、ヒンジ部２６を支点として両仮保持部２４を接近させるように弾性変位させる。この弾性変位に伴い、導電路２８の外周に対する仮保持部２４の当接が解除されるので、両摘み部２５を摘んだまま、ノイズフィルタ１０を導電路２８に沿って軸線方向にスライドさせればよい。ノイズフィルタ１０が所望の位置に移動したら、摘み部２５から手を離せば、両仮保持部２４が、その弾性復元力により導電路２８の外周に当接する状態に復帰する。
【００２３】
これにより、ノイズフィルタ１０は導電路２８に対して軸線方向の相対変位を規制された状態に仮保持される。この後は、粘着テープ２９を、フィルタケース１４の外周と、一対の仮保持部２４と、導電路２８のうち仮保持部２４に近い領域とに亘って巻き付けて、ノイズフィルタ１０を導電路２８に固定する。以上により、導電路２８に対するノイズフィルタ１０の取付け作業が完了する。
【００２４】
上述のように本実施例１のノイズフィルタ１０は、導電路２８を挿通させる挿通孔１３を有するフェライトコア１１と、フェライトコア１１を収容するフィルタケース１４とを備えている。フィルタケース１４には、導電路２８の外周に当接することで、フィルタケース１４が導電路２８に対して軸線方向へ相対変位することを規制する仮保持部２４が形成されている。本実施例１のノイズフィルタ１０によれば、仮保持部２４が導電路２８の外周に当接することにより、ノイズフィルタ１０の導電路２８に対する軸線方向への相対変位が規制される。
【００２５】
しかも、仮保持部２４は、導電路２８の外周に対して弾性的に当接するので、仮保持部２４の弾性復元力に起因する摩擦抵抗により、導電路２８に対するフィルタケース１４の相対変位が、確実に規制される。したがって、粘着テープ２９を巻き付けてノイズフィルタ１０を導電路２８に固定する際には、ノイズフィルタ１０を位置ずれしないように支えておく必要がなく、作業性に優れている。
【００２６】
また、一対の仮保持部２４は、フィルタケース１４の軸線方向に間隔を空けた２位置に揺動可能に支持されている。そして、導電路２８に対する一対の仮保持部２４の当接方向は、導電路２８の軸線に対して斜め方向であり、且つ導電路２８の軸線方向に関して互いに逆向きとなっている。この構成によれば、導電路２８の軸線の正逆両方向において、ノイズフィルタ１０の相対変位を規制することができる。また、一対の仮保持部２４には、導電路２８の外周に当接した状態において導電路２８の外周から径方向外向きに張り出した形態の摘み部２５が形成されている。この構成によれば、２つの摘み部２５を摘んで軸線方向に接近させれば、導電路２８に対する仮保持部２４の当接が解除されるので、ノイズフィルタ１０の軸線方向における位置を簡単に変更することができる。
【００２７】
＜実施例２＞
以下、本発明を具体化した実施例２を図３〜図５を参照して説明する。本実施例２のノイズフィルタ３０は、複数本の電線（図示省略）を束ねたワイヤーハーネス４７をコルゲートチューブ４８で包囲した形態の導電路４６に適用される。ノイズフィルタ３０を、導電路４６に対し同軸状に包囲するように取り付けると、導電路４６のノイズがフェライトコア３１によって除去される。尚、以下の説明では、導電路４６のうちノイズフィルタ３０が取り付けられる領域の中心軸を「軸線」と定義する。
【００２８】
ノイズフィルタ３０は、円環形をなすフェライトコア３１と、フェライトコア３１を収容するフィルタケース３４とを備えている。フェライトコア３１は、半円筒形をなす一対のコア構成体３２を合体して構成される。一対のケース構成体３５は対称な形状である。フェライトコア３１の中心には、導電路４６を挿通させるための円形の挿通孔３３が形成されている。フェライトコア３１（挿通孔３３）の内径は、コルゲートチューブ４８の最大外径より少し大きい寸法に設定されている。
【００２９】
フィルタケース３４は、合成樹脂からなる一対のケース構成体３５によって構成されている。一対のケース構成体３５は対称な形状であり、この一対のケース構成体３５を合体させることにより、全体として導電路４６の軸線と同心状の円筒形をなすフィルタケース３４が構成される。フィルタケース３４の内部空間は、フェライトコア３１を収容するための収容空間３６となっている。また、フィルタケース３４の軸線方向における両端部には、円環形をなす外壁部３７が形成されている。外壁部３７の中心孔３８の内径は、導電路４６の最大外径寸法より少し大きい寸法に設定されている。
【００３０】
ケース構成体３５は、半円筒形をなす周壁部３９と、半円弧形をなす一対の端壁部４０とを備えている。一対の端壁部４０は、周壁部３９の軸線方向両端縁から径方向内向きに突出し、外壁部３７を構成する。一対のケース構成体３５を合体すると、双方の周壁部３９の周方向における両端縁同士が当接するとともに、双方の端壁部４０の周方向における両端縁同士が当接する。これにより、フィルタケース３４の内部には、フェライトコア３１を収容するための収容空間３６が構成される。
【００３１】
本実施例２のノイズフィルタ３０は、フィルタケース３４から導電路４６に亘って粘着テープ５０（図３を参照）を巻き付けることにより、導電路４６に固定される。しかし、フェライトコア３１（挿通孔３３）の内径は、導電路４６の外径（コルゲートチューブ４８の最大外径）よりも少し大きく設定されているので、ノイズフィルタ３０を導電路４６に取り付けて挿通孔３３に導電路４６が挿通されてから、粘着テープ５０の巻き付けを行うまでの間に、ノイズフィルタ３０が導電路４６の軸線方向に位置ずれしてしまう虞がある。特に、導電路４６が上下方向や水平に対して斜め方向に配索されている場合には、ノイズフィルタ３０が滑り落ちてしまう。ノイズフィルタ３０の位置ずれや滑落を防止するためには、粘着テープ５０を巻き付ける際に、ノイズフィルタ３０を手で支えておけばよいが、そうすると、作業性が悪くなる。
【００３２】
そこで、ノイズフィルタ３０が導電路４６に対して軸線方向に相対変位するのを規制する仮保持手段としては、各ケース構成体３５に、夫々、一対ずつの仮保持部４１を形成している。各ケース構成体３５の両端壁部４０の外面には、夫々、一対ずつのヒンジ部４４が形成されている。両ケース構成体３５の合体方向（上下方向）におけるヒンジ部４４の形成位置は、端壁部４０のうち合体時に相手がの端壁部４０と対向する合せ面４５（導電路４６の軸線）に近い位置である。また、合体方向及び軸線方向と交差する方向における両ヒンジ部４４の形成位置は、導電路４６を両側から挟む位置である。
【００３３】
１つの仮保持部４１は、対をなすヒンジ部４４を介して端壁部４０に支持されている。仮保持部４１は、摘み部４２と、摘み部４２の両端から略直角に延出する一対のアーム部４３とから構成されている。摘み部４２は、両ヒンジ部４４の並び方向と平行をなし、両アーム部４３の延出端が一対のヒンジ部４４に連なっている。仮保持部４１は、一対のヒンジ部４４を支点として弾性的に揺動し得るようになっている。このときの揺動軸の向きは、対をなすヒンジ部４４が並ぶ方向、つまり、導電路４６の軸線と概ね直交する方向である。
【００３４】
次に、本実施例２のノイズフィルタ３０の組付けと、ノイズフィルタ３０の導電路４６への取り付けの手順を説明する。まず、各ケース構成体３５内に、夫々、コア構成体３２を収容する。次に、一方のケース構成体３５のコア構成体３２に導電路４６を載せ、その上から他方のケース構成体３５を被せるように合体させる。合体状態では、両ケース構成体３５が周知形態のロック手段（図示省略）により合体状態にロックされてフィルタケース３４が構成されるとともに、両コア構成体３２が合体してフェライトコア３１が構成される。同時に、フェライトコア３１の挿通孔３３に導電路４６が挿通された状態となる。以上により、ノイズフィルタ３０の組付け作業と、ノイズフィルタ３０に導電路４６を挿通させる作業が完了する。
【００３５】
ノイズフィルタ３０に導電路４６を挿通させた状態では、二対の仮保持部４１の摘み部４２が、夫々、コルゲートチューブ４８の外周の溝部４９に進入する。二対の仮保持部４１が、コルゲートチューブ４８の溝部４９に進入した状態で、ノイズフィルタ３０が導電路４６に対して軸線方向に相対変位しようとすると、溝部４９の内面が仮保持部４１に当接して係止状態となる。この係止作用により、ノイズフィルタ３０は、導電路４６に対し軸線方向の相対変位を規制された状態に仮保持される。
【００３６】
即ち、図３において、ノイズフィルタ３０が右方へ変位しようとしたときには、溝部４９の内面が、左側に位置する上下２つの仮保持部４１の摘み部４２に当接することにより、ノイズフィルタ３０の変位が規制される。また、ノイズフィルタ３０が左方へ変位しようとしたときには、溝部４９の内面が、右側に位置する上下２つの仮保持部４１の摘み部４２に当接することにより、ノイズフィルタ３０の変位が規制される。
【００３７】
また、ノイズフィルタ３０を導電路４６に仮保持した状態から、ノイズフィルタ３０の位置を意図的に軸線方向へずらす場合には、二対の仮保持部４１の摘み部４２を両手で摘み、ヒンジ部４４を支点として仮保持部４１を軸線方向に接近させるように弾性変位させる。この弾性変位に伴い、溝部４９の内面に対する仮保持部４１の当接が解除されるので、摘み部４２を摘んだまま、ノイズフィルタ３０を導電路４６に沿って軸線方向にスライドさせればよい。ノイズフィルタ３０が所望の位置に移動したら、摘み部４２から手を離せば、二対の仮保持部４１が、その弾性復元力により溝部４９の内面に当接する状態に復帰する。
【００３８】
これにより、ノイズフィルタ３０は導電路４６に対して軸線方向の相対変位を規制された状態に仮保持される。この後は、粘着テープ５０を、フィルタケース３４の外周と、二対の仮保持部４１と、導電路４６のうち仮保持部４１に近い領域とに亘って巻き付けて、ノイズフィルタ３０を導電路４６に固定する。以上により、導電路４６に対するノイズフィルタ３０の取付け作業が完了する。
【００３９】
上述のように本実施例２のノイズフィルタ３０は、導電路４６を挿通させる挿通孔３３を有するフェライトコア３１と、フェライトコア３１を収容するフィルタケース３４とを備え、フィルタケース３４には、導電路４６の外周（コルゲートチューブ４８の溝部４９の内面）に当接することで、フィルタケース３４が導電路４６に対して軸線方向へ相対変位することを規制する仮保持部４１が形成されている。この構成によれば、仮保持部４１が導電路４６の外周に当接することにより、ノイズフィルタ３０の導電路４６に対する軸線方向への相対変位が規制される。したがって、粘着テープ５０を巻き付けてノイズフィルタ３０を導電路４６に固定する際には、ノイズフィルタ３０を位置ずれしないように支えておく必要がなく、作業性に優れている。
【００４０】
また、本実施例２のノイズフィルタ３０の取付け対象が、ワイヤーハーネス４７をコルゲートチューブ４８で包囲した形態の導電路４６であることから、仮保持部４１は、コルゲートチューブ４８の外周の溝部４９に嵌入されるようにしている。この構成によれば、仮保持部４１と溝部４９の内面とが軸線方向に当接して係止状態となるので、軸線方向におけるノイズフィルタ３０の相対変位を確実に規制できる。
【００４１】
＜他の実施例＞
本発明は上記記述及び図面によって説明した実施例に限定されるものではなく、例えば次のような実施例も本発明の技術的範囲に含まれる。
（１）上記実施例１，２では、導電路の軸線の正逆両方向において、ノイズフィルタの相対変位を規制したが、ノイズフィルタの相対変位を規制する方向は、導電路の軸線における正逆いずれか一方向だけであってもよい。
（２）上記実施例１，２では、仮保持部をフィルタケースの外部に配したが、仮保持部はフィルタケースの内部に配してもよい。
（３）上記実施例１の仮保持部の構成は、実施例２のコルゲートチューブを有する導電路にも適用できる。
（４）上記実施例１，２では、仮保持部を一対設けたが、仮保持部の数は、１つだけでもよく、３つ以上でもよい。
（５）上記実施例１，２では、１つのフェライトコアに１つの挿通孔が形成されているが、１つのフェライトコアに複数の挿通孔を形成してもよい。
（６）上記実施例１では、フィルタケースが第１ケース構成体と第２ケース構成体の２部品で構成されているが、フィルタケースは、第１ケース構成体と第２ケース構成体をヒンジで連結した単一部品であってもよい。
（７）上記実施例２では、フィルタケースが別体部品である一対のケース構成体で構成されているが、フィルタケースは、一対のケース構成体をヒンジで連結した単一部品であってもよい。
（８）上記実施例１，２では、フェライトコアが２つのコア構成体で構成されているが、フェライトコアは円環形をなす単一部品であってもよい。
【符号の説明】
【００４２】
１０…ノイズフィルタ
１１…フェライトコア
１３…挿通孔
１４…フィルタケース
２４…仮保持部
２５…摘み部
２８…導電路
３０…ノイズフィルタ
３１…フェライトコア
３３…挿通孔
３４…フィルタケース
４１…仮保持部
４６…導電路
４７…ワイヤーハーネス
４８…コルゲートチューブ
４９…溝部
【図１】
2016082057.tif 000003
【図２】
2016082057.tif 000004
【図３】
2016082057.tif 000005
【図４】
2016082057.tif 000006
【図５】
2016082057.tif 000007